(57)【要約】      （修正有）【課題】空気の吸引力と廃棄物の自重とを利用して効率よく分離選別する軟・硬質プラスチック類選別装置の提供。【解決手段】メッシュコンベアベルト９を傾斜配置し、軽量の軟質プラスチック類、ある程度重量がある硬質プラスチック類が混在している廃棄物が搬送面に投入される搬送コンベア装置４と、メッシュコンベアベルト９の搬送裏面に吸引口である開口部２２ａを臨ませて配置され、搬送面側から搬送裏面側への吸引力を作用させる空気吸引手段２１とを有し、軟質プラスチック類を空気吸引手段２１の吸引力によりメッシュコンベアベルト９の搬送面に吸着しつつ搬送して搬送上端から放出し、吸引力で吸着し得ない硬質プラスチック類を自重によりメッシュコンベアベルト９の下方に落下させて放出することで、軟質プラスチック類、硬質プラスチック類の分離選別を行うように構成した軟・硬質プラスチック類選別装置１。【選択図】図１
2015223703.tif 000002
【特許請求の範囲】
【請求項１】
搬送面、搬送裏面間を空気流通可能とした搬送ベルトを傾斜配置として、軽量の軟質プラスチック類、ある程度重量がある硬質プラスチック類が混在している廃棄物が搬送面に投入される搬送コンベア装置と、
前記搬送ベルトの搬送裏面に吸引口を臨ませて配置され、搬送面側から搬送裏面側への吸引力を作用させる空気吸引手段と、
を有し、
前記軟質プラスチック類を空気吸引手段の吸引力により搬送ベルトの搬送面に吸着しつつ搬送して搬送上端から放出し、前記吸引力で吸着し得ない硬質プラスチック類を自重により搬送ベルトの下方に落下させて放出することで、前記軟質プラスチック類、硬質プラスチック類の分離選別を行うようにしたことを特徴とする軟・硬質プラスチック類選別装置。
【請求項２】
メッシュコンベアベルトを傾斜配置として、軽量の軟質プラスチック類、ある程度重量がある硬質プラスチック類が混在している廃棄物が搬送面に投入される搬送コンベア装置と、
前記メッシュコンベアベルトの搬送裏面に吸引口を臨ませて配置され、搬送面側から搬送裏面側への吸引力を作用させる空気吸引手段と、
を有し、
前記軟質プラスチック類を空気吸引手段の吸引力によりメッシュコンベアベルトの搬送面に吸着しつつ搬送して搬送上端から放出し、前記吸引力で吸着し得ない硬質プラスチック類を自重によりメッシュコンベアベルトの下方に落下させて放出することで、前記軟質プラスチック類、硬質プラスチック類の分離選別を行うようにしたことを特徴とする軟・硬質プラスチック類選別装置。
【請求項３】
前記軟質プラスチック類は、ビニールゴミ袋を含むプラスチックの袋、ラップ、薄手のプラスチックシート等であり、前記硬質プラスチック類は、プラスチックボトル、トレイ、プラスチックのおもちゃ、プラスチック破片等であることを特徴とする請求項１又は請求項２のいずれか１項に記載の軟・硬質プラスチック類選別装置。
【発明の詳細な説明】
【技術分野】
【０００１】
本発明は、軟・硬質プラスチック類選別装置に関し、詳しくは、プラスチックの袋等の軟質プラスチック類と、プラスチックボトル等の硬質プラスチック類とが混在する廃棄物を投入して効率よく分離判別するための軟・硬質プラスチック類選別装置に関するものである。
【背景技術】
【０００２】
一般に、ビニール製袋を含むプラスチックの袋、ラップ、薄手のプラスチックシート等のような軟質プラスチック類と、プラスチックボトル、トレイ、プラスチック容器等のような硬質プラスチック類とが混在する廃棄物についての選別分離作業は、人手により行われることが多い。
【０００３】
しかし、このような人手による選別作業は、極めて非効率であり大量処理に適さないため、従来においても空気流を利用して廃棄物の選別作業を部分的に機械化する試みもなされている。
【０００４】
特許文献１には、上壁の一部が多孔フィルターで構成された断面が矩形状のケーシングと、前記ケーシング内部に設けられ、前記ケーシングの両側壁に沿って移動する桟を有するコンベアとにより構成され、空気搬送の空気を搬送途上で徐々に排出し、空気搬送からコンベア搬送に準連続的に切り替え、滑らかな排出を可能とするとともに、多孔フィルターを通して排気、吸引する排気室を隔壁により分割し複数区画とし、交互に作動、停止することにより、フィルム類の張り付きによるフィルターの目詰まりを解決するように構成した空気搬送物分離装置が開示されている。
【０００５】
特許文献２には、風力にて浮遊材と非浮遊材とに分ける風力選別装置において、浮遊材と非浮遊材との混合物の搬送手段を跨ぎ搬送方向に平行な両側壁のうち少なくとも片方の側壁の内面形状を縦方向に凹状としたケーシングと、前記内面形状が縦方向に凹状の側壁に相対するもう一方の側壁の下部から搬送手段の上面に向けて或いは搬送手段の上面と平行、かつ、搬送方向と概略直交する方向へ空気を噴出するノズルと、前記ノズルの空気にてノズルに相対する縦方向に凹状の側壁内面に沿って上昇、反転し、ケーシング天井に沿って搬送される浮遊物と搬送空気を排出するために前記ノズルと同じ側の側壁上方に設けられケーシングと連通する排出口と、を有する構成の風力選別装置が開示されている。
【０００６】
特許文献３には、円錐形の内周面及びこの内周面の小径側に設けられた吸引口を有するケーシングと、前記内周面に沿って気体を噴出する少なくとも一つのノズルとを備え、更に、前記内周面の大径側を塞ぐと共に側面に排出口を有するカバーを備える構成の渦気流吸引装置が開示されている。
【０００７】
しかし、上述した特許文献１乃至３を含め。搬送ベルトを用い、空気の吸引力と廃棄物の自重とを利用してこの廃棄物を効率よく廃棄物を分離選別し得るような技術は存在しないのが実情である。
【先行技術文献】
【特許文献】
【０００８】
【特許文献１】特開２００８−１２０５１号公報
【特許文献２】特開２００８−１９４６２４号公報
【特許文献３】特開２００１−９６２３３号公報
【発明の概要】
【発明が解決しようとする課題】
【０００９】
本発明が解決しようとする問題点は、軽量の軟質プラスチック類、ある程度重量がある硬質プラスチック類が混在している廃棄物を搬送コンベア装置に投入して、空気の吸引力と廃棄物の自重とを利用して効率よく分離選別し得るような軟・硬質プラスチック類選別装置が存在しない点である。
【課題を解決するための手段】
【００１０】
本発明に係る軟・硬質プラスチック類選別装置は、搬送面、搬送裏面間を空気流通可能とした搬送ベルトを傾斜配置として、軽量の軟質プラスチック類、ある程度重量がある硬質プラスチック類が混在している廃棄物が搬送面に投入される搬送コンベア装置と、前記搬送ベルトの搬送裏面に吸引口を臨ませて配置され、搬送面側から搬送裏面側への吸引力を作用させる空気吸引手段と、を有し、前記軟質プラスチック類を空気吸引手段の吸引力により搬送ベルトの搬送面に吸着しつつ搬送して搬送上端から放出し、前記吸引力で吸着し得ない硬質プラスチック類を自重により搬送ベルトの下方に落下させて放出することで、前記軟質プラスチック類、硬質プラスチック類の分離選別を行うことを最も主要な特徴とする。
【発明の効果】
【００１１】
請求項１乃至３記載の発明によれば、傾斜配置で搬送ベルトであるメッシュコンベアベルトを採用した搬送コンベア装置に対して、空気吸引手段によりメッシュコンベアベルトの搬送面側から搬送裏面側に向かう吸引力を作用させるという簡略な構成の基に、軟質プラスチック類を空気吸引手段２１の吸引力によりメッシュコンベアベルト９の搬送面に吸着しつつ搬送して搬送上端から放出し、前記吸引力で吸着し得ない硬質プラスチック類を自重によりメッシュコンベアベルトの下方に落下させて放出することで、軟質プラスチック類、硬質プラスチック類の自動的な分離選別をきわめて効率よく行うことが可能となり、ビニールゴミ袋を含むプラスチックの袋、ラップ、薄手のプラスチックシート等を含む軟質プラスチック類、プラスチックボトル、トレイ、プラスチックのおもちゃ、プラスチック破片等の硬質プラスチック類を含む大量の廃棄物の選別処理の効率向上、作業時間の短縮化、人手作業の軽減等、種々の有益な効果を奏する軟・硬質プラスチック類選別装置を実現し提供することができる。
【図面の簡単な説明】
【００１２】
【図１】図１は本発明の実施例に係る軟・硬質プラスチック類選別装置の概略正面図である。
【図２】図２は本実施例に係る軟・硬質プラスチック類選別装置の概略側面図である。
【図３】図３は本実施例に係る軟・硬質プラスチック類選別装置における搬送コンベア装置の一部、空気吸引手段の一部を示す概略断面図である。
【図４】図４は本実施例に係る軟・硬質プラスチック類選別装置による軟質プラスチック類、硬質プラスチック類の分離判別動作を概念的に示す概略説明図である。
【発明を実施するための形態】
【００１３】
本発明は、軽量の軟質プラスチック類、ある程度重量がある硬質プラスチック類が混在している廃棄物を搬送コンベア装置に投入して、空気の吸引力と廃棄物の自重とを利用して効率よく分離選別する軟・硬質プラスチック類選別装置を提供するという目的を、メッシュコンベアベルトを傾斜配置として、軽量の軟質プラスチック類、ある程度重量がある硬質プラスチック類が混在している廃棄物が搬送面に投入される搬送コンベア装置と、前記メッシュコンベアベルトの搬送裏面に吸引口を臨ませて配置され、搬送面側から搬送裏面側への吸引力を作用させる空気吸引手段と、を有し、前記軟質プラスチック類を空気吸引手段の吸引力によりメッシュコンベアベルトの搬送面に吸着しつつ搬送して搬送上端から放出し、前記吸引力で吸着し得ない硬質プラスチック類を自重によりメッシュコンベアベルトの下方に落下させて放出することで、前記軟質プラスチック類、硬質プラスチック類の分離選別を行う構成により実現した。
【実施例】
【００１４】
以下、本発明の実施例に係る軟・硬質プラスチック類選別装置について図面を参照して詳細に説明する。
【００１５】
本実施例に係る軟・硬質プラスチック類選別装置１は、プラスチック類選別処理を行う建屋内（又は建屋外）に設置されるものであって、図１乃至図３に示すように、基台３と、この基台３から一定間隔を隔て、かつ、平行配置に垂直方向に立設した一対の垂直壁体３ａ、３ｂと、を具備する装置架台２と、前記垂直壁体３ａ、３ｂに取り付けられるとともに、軟質プラスチック類３１、硬質プラスチック類３２が混在する廃棄物３０が搬送面に投入される搬送コンベア装置４と、前記廃棄物３０に対して吸引力を作用させる空気吸引手段２１と、を有している。
【００１６】
前記搬送コンベア装置４は、前記装置架台２における垂直壁体３ａ、３ｂ間に傾斜配置に設置した搬送コンベアユニット５と、この搬送コンベアユニット５の駆動ユニット６とを具備している。
【００１７】
搬送コンベアユニット５は、前記垂直壁体３ａ、３ｂの一端側の高位置において、垂直壁体３ａ、３ｂ間に水平配置に、かつ、回転可能に軸支された原動プーリー７ａと、前記垂直壁体３ａ、３ｂの他端側の低位置において、垂直壁体３ａ、３ｂ間に水平配置に、かつ、回転可能に軸支された従動プーリー８と、前記原動プーリー７ａと従動プーリー８とに傾斜配置に掛け渡した例えば金属網材又は金属パンチング板材を用いた搬送ベルトであるメッシュコンベアベルト９と、を具備している。
前記メッシュコンベアベルト９については、図１において、その一部に十字クロス線を付して示している。
【００１８】
前記メッシュコンベアベルト９は、搬送面、搬送裏面間を空気流通可能とした搬送ベルトとして機能するものである。
【００１９】
前記駆動ユニット６は、前記原動プーリー７ａと同軸で、かつ、前記垂直壁体３ｂの外側に配置した回転駆動プーリー７ｂと、前記垂直壁体３ｂの外側で、かつ、前記回転駆動プーリー７ｂの近くの所定の位置に設けたモーター支持板１０上に設置した駆動モーター１１と、前記駆動モーター１１の原動軸に連結したモータープーリー１２と、このモータープーリー１２と前記回転駆動プーリー７とに掛け渡した駆動ベルト１３と、を具備している。
【００２０】
前記空気吸引手段２１は、前記メッシュコンベアベルト９の搬送裏面側に臨む端面を複数のスリット状の開口部２２ａとした直方体箱形状に形成され、前記メッシュコンベアベルト９の搬送裏面側に傾斜状態に配置されるとともに、前記開口部２２ａより内方で前記垂直壁体３ａ側の端面に例えば３個の空気流通穴２２ｂを間隔を隔てて設けた吸引ボックス２２と、この吸引ボックス２２と一体的に構成されるとともに、吸引ボックス２２に臨む端面を開口状態とし、かつ、前記垂直壁体３ａに設けた四角形状の穴部３ｃに装着して前記吸引ボックス２２とともに垂直壁体３ａにより定位置に固定支持される直方体箱形状の集中吸引ボックス２３と、前記装置架台２の側方に配置される空気吸引ポンプ２４と、前記集中吸引ボックス２３の外側端面を経てこの集中吸引ボックス２３内に一端を臨ませ、空気吸引ポンプ２４に他端を連結した例えばパイプ類、ホース類又はダクト類のいずれかから選定される吸引管２５と、を具備している。
【００２１】
そして、前記空気吸引ポンプ２４を作動させることによって、前記メッシュコンベアベルト９の搬送面側から搬送裏面側、更に吸引ボックス２２の開口部２２ａ、空気流通穴２２ｂ、集中吸引ボックス２３内、吸引管２５、空気吸引ポンプ２４に至る流路に空気の吸引力を作用させるように構成している。
なお、前記メッシュコンベアベルト９におけるメッシュの形状やメッシュの穴の大きさは、特に限定するものではないが、例えば、メッシュの形状を菱形とし、メッシュの穴の大きさを５ｍｍ乃至５ｍｍ以下とすることができる。
【００２２】
次に、本実施例に係る軟・硬質プラスチック類選別装置１による軟質プラスチック類３１、硬質プラスチック類３２の分離選別動作について、図４を参照して説明する。
【００２３】
なお、図４においては、ビニールゴミ袋を含むプラスチックの袋、ラップ、薄手のプラスチックシート等の軟質プラスチック類３１を白抜き雲形等の白抜き形状で表し、プラスチックボトル、トレイ、プラスチックのおもちゃ、プラスチック破片等の硬質プラスチック類３２を黒塗り四角形状又は黒塗り菱形形状で表すこととして以下の説明を行う。
【００２４】
本実施例に係る軟・硬質プラスチック類選別装置１により、前記軟質プラスチック類３１と硬質プラスチック類３２とが混在した廃棄物３０の分離選別を行う場合には、まず、前記駆動モーター１１を始動させ、図３、図４に示すように、前記駆動ベルト１３、メッシュコンベアベルト９を各々矢印方向に走行させる。
【００２５】
また、前記空気吸引ポンプ２４を始動させ、前記メッシュコンベアベルト９の搬送面側から搬送裏面側、更に吸引ボックス２２の開口部２２ａ、空気流通穴２２ｂ、集中吸引ボックス２３内、吸引管２５、空気吸引ポンプ２４に至る流路に吸引力を作用させる。
なお、吸引力は、本実施例に係る軟・硬質プラスチック類選別装置１の処理量、処理能力に応じてブロアを変化させて実施できる。
【００２６】
この状態で、図４に示すように、傾斜配置の前記メッシュコンベアベルト９の搬送面上に、前記軟質プラスチック類３１と硬質プラスチック類３２とが混在した廃棄物３０を投入する。
【００２７】
これにより、前記メッシュコンベアベルト９の搬送面上に投入された廃棄物３０のうちプラスチックの袋、ラップ、薄手のプラスチックシート等の軟質プラスチック類３１は前記空気吸引ポンプ２４の動作による吸引力によって、前記メッシュコンベアベルト９の搬送面に吸着されつつこのメッシュコンベアベルト９の搬送上端に至り、この搬送状端領域では最早吸引力が作用しないので前記搬送コンベア装置４の外方に放出される。
【００２８】
一方、前記メッシュコンベアベルト９の搬送面上に投入された廃棄物３０のうち、ある程度重量があるプラスチックボトル、トレイ、プラスチックのおもちゃ、プラスチック破片等の硬質プラスチック類３２は、前記空気吸引ポンプ２４の動作による吸引力では搬送面に吸着できないので、これらの硬質プラスチック類３２はその自重によりメッシュコンベアベルト９の下方に落下し前記搬送コンベア装置４の下方に放出される。
なお、軟質プラスチック類３１、硬質プラスチック類３２の各吸引状態は、軟質プラスチック類３１のほうが柔らかいために吸着面積が大きく、硬質プラスチック類３２は堅いために吸着面積が小さいことから、硬質プラスチック類３２は自重で落下する。
【００２９】
このようにして、本実施例に係る軟・硬質プラスチック類選別装置１によれば、傾斜配置でメッシュコンベアベルト９を採用した搬送コンベア装置４に対して、前記空気吸引手段２１によりメッシュコンベアベルト９の搬送面側から搬送裏面側に向かう吸引力を作用させるという簡略な構成の基に、前記軟質プラスチック類３１を空気吸引手段２１の吸引力によりメッシュコンベアベルト９の搬送面に吸着しつつ搬送して搬送上端から放出し、前記吸引力で吸着し得ない硬質プラスチック類３２を自重によりメッシュコンベアベルト９の下方に落下させて放出することで、前記軟質プラスチック類３１、硬質プラスチック類３２の自動的な分離選別をきわめて効率よく行うことが可能となり、大量の廃棄物３０の選別処理の効率向上、作業時間の短縮化、人手作業の軽減等種々の有益な効果を発揮させることができる。
【産業上の利用可能性】
【００３０】
本発明は、上述したような軟質プラスチック類、硬質プラスチック類の混在する廃棄物の分離判別のみならず、更に金属性の空缶、木片等種々雑多な廃棄物品が混在する廃棄物の分類判別を行う廃棄プラント等にも応用可能である。
【符号の説明】
【００３１】
１    軟・硬質プラスチック類選別装置
２    装置架台
３    基台
３ａ  垂直壁体
３ｂ  垂直壁体
３ｃ  穴部
４    搬送コンベア装置
５    搬送コンベアユニット
６    駆動ユニット
７ａ  原動プーリー
７ｂ  回転駆動プーリー
８    従動プーリー
９    メッシュコンベアベルト
１０    モーター支持板
１１    駆動モーター
１２    モータープーリー
１３    駆動ベルト
２１    空気吸引手段
２２    吸引ボックス
２２ａ  開口部
２２ｂ  空気流通穴
２３    集中吸引ボックス
２４    空気吸引ポンプ
２５    吸引管
３０    廃棄物
３１    軟質プラスチック類
３２    硬質プラスチック類
【図１】
2015223703.tif 000003
【図２】
2015223703.tif 000004
【図３】
2015223703.tif 000005
【図４】
2015223703.tif 000006